(57)【要約】【課題】【解決手段】臍の緒の締め付け装置は、締め付け手段（１０）にこれの一端で接続された細長いストラップ（２０）を具備し、このストラップと締め付け手段とは、臍の緒を受ける締め付け可能なループを形成するように係合する共働手段を有する。
2004502485.tif 000002
【特許請求の範囲】
【請求項１】
締め付け手段に接続された細長いストラップを具備し、このストラップと締め付け手段とは、臍の緒を受けるための締め付け可能なループを形成するように係合する共働手段を備えている、臍の緒の締め付け装置。
【請求項２】
ハンドルが前記ストラップに接続されている、請求項１の装置。
【請求項３】
前記ハンドルには、指穴が設けられている、請求項２の装置。
【請求項４】
前記締め付け手段に接続された更なるハンドル部を更に具備する、請求項２もしくは３の装置。
【請求項５】
前記ハンドル部は、更なるストラップによって締め付け手段に接続されている、請求項４の装置。
【請求項６】
前記ストラップは複数あり、これらストラップは共に締め付け手段に接続されている、請求項５の装置。
【請求項７】
前記更なるハンドル部には、指穴が設けられている、請求項４乃至６のいずれか１の装置。
【請求項８】
前記締め付け手段は、ストラップを受けるための開口を有するキャビティを備えている、請求項１乃至７のいずれか１の装置。
【請求項９】
前記ストラップは、スロットによってキャビティ内に受けられ得る幅の小さい第１の領域と、キャビティによって受けられ得るがスロットによって受けられ得ない幅の大きい第２の領域とを有する、請求項８の装置。
【請求項１０】
前記キャビティは、ストラップが中を通る更なる開口を有し、この更なる開口は面取りされた面を有する、請求項８もしくは９の装置。
【請求項１１】
前記共働する係合手段は、ストラップ上に設けられた複数の歯部と、これらストラップの歯部と係合可能な対応した歯付きのつめとを備えている、請求項１乃至１０のいずれか１の装置。
【請求項１２】
前記締め付け手段は、切断可能な橋部によってストラップに接続されている、請求項１乃至１１のいずれか１の装置。
【請求項１３】
前記締め付け手段から延びた反応部材を更に具備し、この反応部材はループが形成されると、これの内側に面するように位置される、請求項１乃至１２のいずれか１の装置。
【請求項１４】
前記反応部材の、ループの内側に向けられた面は、ループが形成されているときは弓形である、請求項１３の装置。
【請求項１５】
前記共働する手段のストラップ形成部分は、接続部を介して締め付け手段に接続され、接続部は、ループが締められたときに反応部材と係合するように配置された当接面を有する、請求項１３の装置。
【請求項１６】
前記ストラップは、当接面から離間されたところで接続部に接続されている、請求項１５の装置。
【請求項１７】
装置は、射出成形されている、請求項１乃至１６のいずれか１の装置。
【請求項１８】
前記締め付け手段は、ストラップの自由端部を覆うように適合されたカバーを有する、請求項１乃至１７のいずれか１の装置。
【請求項１９】
一端で締め付け具に接続され、更に、選択可能な更なるポイントで締め付け具に固定され得る細長いストラップを具備し、締め付け手段とストラップとには、前記ポイントにおける選択的な係合のために共働する係合手段が設けられ、この配置は、ストラップは、臍の緒をしっかりと受けるためのループを形成するように締め付け具に接続可能なようにされている、臍の緒の締め付け装置。
【請求項２０】
前記ストラップにはハンドル部が設けられ、また前記締め付け具に接続された更なるハンドル部を具備する、請求項１９の装置。
【発明の詳細な説明】
【０００１】
【発明の属する技術分野】
本発明は、臍の緒の締め付け装置に関する。
【０００２】
【従来の技術】
臍の緒は、妊娠中に栄養分を供給するために乳児とこの乳児の母親とをつないでいる。この臍の緒は、出産時に切られる（ｄｅｔａｃｈ）ことが必要である。従来は、これは、２つの臍の緒用鉗子を、臍の緒の母親（胎盤）と子供との間の端部で用いて、これら鉗子の間の緒を切断することによって成されてきた。緒の切断された端部は、時間が経つと鉗子と共に離れて落ちる。一般に、臍の緒用鉗子は、臍の緒が複数のクランプ面の間で閉じられてクランプされるように、ヒンジでピボット運動する第１及び第２のクランプ面を有する対の挟み具（ｔｏｎｇｓ）のように機能する。
【０００３】
【発明が解決しようとする課題】
このような先行技術の臍の緒用鉗子の不利な点は、これらが異なった直径を有する臍の緒を収容するのが難しい点である。更に、このような鉗子は、大きく、重く、高価であることが多い。
【０００４】
本発明の目的は、先行技術の少なくとも１つの欠点を解消する、新規の臍の緒の締め付け装置を提供することである。
【０００５】
【課題を解決するための手段】
本発明に従って、一端部で締め付け手段に接続された細長いストラップを有し、このストラップと締め付け手段とは、臍の緒を受ける締め付け可能なループを形成するように係合する共働手段を有する、臍の緒の締め付け装置が提供される。
【０００６】
本発明の実施形態が、例を挙げて、添付図面を参照しながら説明される。
【０００７】
【発明の実施の形態】
図１乃至３を参照すると、本発明に係わる臍の緒の締め付け装置の第１の実施形態が、示されている。この締め付け装置は、例えばナイロンなどの射出成形されるプラスチック材料によって一体成形物として形成されている。装置は、一端で締め付け具１０に、他端でハンドル部３０に接続されたストラップ２０を有する。このストラップ２０は、狭い断面を有する領域２２を介してハンドル部３０に接続されている。図２に最もよく示されているように、締め付け具１０には、ロック用つめ１４が中に配置されたキャビティ１２が形成されている。このキャビティは、３つの側面で閉じられているが、４つ目の側面にはスロット１５が形成されている。このスロット１５は、ストラップ２０の狭い部分２２を受けるのにちょうど十分だが、主要な部分２０を受けるには十分でない幅を有する。キャビティ１２は、主要な部分２０を摺動可能なように受けるのに十分な幅を有する。ストラップ２０には、図３に示されるように、つめ１４の対応する歯部１６と係合するように長手方向に配列された複数の歯部２４が設けられている。つめ１４は、歯部１６、２４がクリック留めされるように係合した状態で、ストラップがキャビティを通って引っ張られるのを可能にするように変形する弾性支持部１４ａを有する。
【０００８】
前記装置には、好ましくは、モールドの分離線のばりが、乳児の臍の緒を捕える表面に形成されないように、歯部２４の列のエッジ５０に沿って延びたモールドの第１及び第２の側面が形成されている。
【０００９】
締め付け具１０は、薄い（ｔｈｉｎ）橋部１７によってストラップ２０に接続されている。反応部材１８が、薄い橋部に対して平行に、締め付け具１０からストラップ２０にほぼ到達するまで延びるように設けられている。反応部材１８の自由端部１９が係合し得る当接面２６を有する領域２５が、ストラップ２０を橋部１７に接続している。
【００１０】
使用時には、病院のスタッフが、上述の実施形態の本発明を、ハンドル部３０を把持し（好ましくは指を開口部３２中に通させるように位置する）、ストラップの部分２２を締め付け具１０の開口部１５中に通し、続いて、ストラップ２０をキャビティ１２を通るように引っ張ることによって、臍の緒に取り付けることができる。これによって、ストラップ２０の歯部２４は、クリック留めされるようにつめ１４の歯部１６と係合するようにされる。つめ１４とストラップ２０との両歯部は、図３に示されるように、前傾斜面（ｌｅａｄｉｎｇ ｓｌａｎｔｅｄ ｓｕｒｆａｃｅ）と後傾斜面（ｔｒａｉｌｉｎｇ ｐｅｒｐｅｎｄｉｃｕｌａｒ ｓｕｒｆａｃｅ）とを有することによって、矢印Ｂの方向にのみ一方向の動きを可能にするように形成されている。ストラップ２０を締め付け具１０内を通るように引っ張ることによって、ループが堅く締められるように形成される。このループが締め付けられるのにつれて、臍の緒は、図３の、ストラップ２０と反応部材１８との間の領域Ｃ中に押し入れられる（ｆｏｒｃｅ）。反応部材１８は、非弾性的にされている。しかし、これは、面１９、２６相互が当接するまでの間を除いて、臍の緒が接触するとわずかに曲がることがある。かくして、ストラップ２０と部材１８との配置は、臍の緒が間に挟まれて閉じられ得る２つの硬い面を与える。ここで、ハンドル部３０は、ストラップ２０の余分な部分と共に面１３に沿って切断されることができ、滑らかな締め付けを維持し得る。
【００１１】
本発明の第２の実施形態は、図４、５に示されている。この実施形態は、前述の実施形態と、締め付け具１０にカバー１００が設けられている点で異なっている。キャビティ１２の側面は、締め付け具１０の長さに渡って延びず、レッジ１１４と凹面１１３とを形成するように短くされている。カバー１００は、このレッジ１１４のエッジに、フィルムヒンジ（ｆｉｌｍ ｈｉｎｇｅ）１１２を介して接続されている。このカバー１００には、これにフィルムヒンジ１１５を介して接続されていると共に、キャビティの上面内の対応する矢形スリット１１８中に圧入される矢形部分１１７を有している締め付け具１１６が設けられている。使用時には、ストラップ２０が面１１３に沿って前パラグラフで説明されたのと同じ方法で切断された後、カバー１００は図４に示された位置から図５に示された位置まで動かされる。この結果、部分１１７は、カバー１００がストラップ２０の切断された端部を、これの鋭利な端部が露出されるのを防ぐように隠すように、スリット１１８と係合されている。
【００１２】
出産後の処置の間には時として、締め付け装置の取り外しが必要となることがある。これは、本発明の説明された実施形態によって、橋部１７を切り開く（ｃｕｔ ｔｈｒｏｕｇｈ）ことによって容易に果たされ得る。
【００１３】
図６−１０は、図１−３の実施形態とその概念において大きく見ると似ている本発明の第３の実施形態を例示している。この第３の実施形態では、同様の部材は、２００を足した同じ参照符号で示されている。臍の緒の締め付け装置は、第１の実施形態と同様に一端で締め付け具２１０に他端で狭い断面を有する領域２２２を介してハンドル部２３０に接続されたストラップ２２０を有している。このストラップ２２０と締め付け具２１０とは、図９に示されるように、第１の実施形態と同じ方法で、共にループを形成する。
【００１４】
第３の実施形態は、締め付け具２１０にストラップ４１０を介して接続された更なるハンドル部４００を有する。図７、９に示されるように、ストラップ４１０は、ストラップ２２０とスロット２１５の側面とに対してずらさせるように締め付け具２１０に接続されており、かくして、ストラップ２２０、４１０は、ループが締め付けられているときに互いに干渉しない。更なるハンドル部４００／ストラップ４１０の機能は、締め付け装置を締め付けているときに、両ハンドル部を把持し、これらを、ループを締めるように図８の矢印Ｃの方向へ互いから離れるように引くことができることによって、使用者がより大きなてこ（ｐｕｒｃｈａｓｅ）を得られるようにすることである。
【００１５】
締め付け具２１０には、キャビティ２１２の一端部に、面取りされた面４２０が更に設けられている。この面取りされた面は、ストラップ２２２が一定の角度で切断され、ループが締められると面４２０と同一面にするのを可能にし、かくして切断された鋭利なエッジの危険性を減じる。
【００１６】
ストラップ２２０と締め付け具２１０との、臍の緒を閉じるために互いに係合する能力を増すために、ストラップ２２０を橋部２１７に接続する領域２２５が、ストラップ２２０が締められているときに反応部材２１８に近づくように引っ張られるのを可能にするギャップ４３０を有する。反応部材２１８には、臍の緒を捕える弓形の面４４０が更に設けられている。この弓形の面は、ストラップ２２０が締められているときには、このストラップのラインに従う。
【００１７】
図１０に最も良く示されているように、締め付け具２１０の端面もまた、切れ目の危険性を減じるために、面４５０、４５１、４５２に沿って面取りされている。カバーが、図４、５の実施形態と同じ方法で設けられ得る。
【図面の簡単な説明】
【図１】本発明の第１の実施形態の三次元の図を示す。
【図２】図１の実施形態の締め付け具の拡大図である。
【図３】締め付け具に接続されたストラップを示す、図２のＡ−Ａ線で切り取られた断面図である。
【図４】ストラップの自由端部を隠すためにカバーが設けられている本発明の第２の実施形態を示す、図２に類似した図である。
【図５】カバーが閉じられた状態を示す、図４に類似した図である。
【図６】本発明の第３の実施形態の正面図である。
【図７】図６の矢印Ａの方向から見た図である。
【図８】ストラップがループを形成するように締め付け具と係合されている、図６に類似した図である。
【図９】図８のループの三次元の図である。
【図１０】図６のＢと示された部分の拡大図である。
【図１】
2004502485.tif 000003
【図２】
2004502485.tif 000004
【図３】
2004502485.tif 000005
【図４】
2004502485.tif 000006
【図５】
2004502485.tif 000007
【図６】
2004502485.tif 000008
【図７】
2004502485.tif 000009
【図８】
2004502485.tif 000010
【図９】
2004502485.tif 000011
【図１０】
2004502485.tif 000012
【国際公開パンフレット】
2004502485.tif 000013
2004502485.tif 000014
2004502485.tif 000015
2004502485.tif 000016
2004502485.tif 000017
2004502485.tif 000018
2004502485.tif 000019
2004502485.tif 000020
2004502485.tif 000021
2004502485.tif 000022
2004502485.tif 000023
2004502485.tif 000024
2004502485.tif 000025
2004502485.tif 000026
2004502485.tif 000027
2004502485.tif 000028
2004502485.tif 000029
2004502485.tif 000030
【国際調査報告】
2004502485.tif 000031
2004502485.tif 000032